【手続補正書】
【提出日】平成16年2月26日(2004.2.26)
【手続補正１】
【補正対象書類名】明細書
【補正対象項目名】特許請求の範囲
【補正方法】変更
【補正の内容】
【特許請求の範囲】
【請求項１】
通信業者（キャリア）の提供する交換機、ＷＡＮ機器、ＬＡＮ機器、回線網、構内電話機、一般加入電話機および呼制御装置を備えた仮想構内交換装置であって、
前記呼制御装置は、前記一般加入電話機および前記構内電話機を同一構内の内線電話機として音声通話および各種内線サービスを提供することを特徴とする仮想構内交換装置。
【請求項２】
前記呼制御装置は、インターネット網、有線電話回線網または無線電話回線網を介して前記一般加入電話機および前記構内電話機を接続することを特徴とする請求項１記載の仮想構内交換装置。
【請求項３】
前記呼制御装置は、前記一般加入電話機の電話番号を対応する内線番号に変換する番号変換手段を備えたことを特徴とする請求項１または請求項２記載の仮想構内交換装置。
【請求項４】
通信業者（キャリア）の提供する交換機、ＷＡＮ機器、ＬＡＮ機器、回線網、構内電話機、一般加入電話機および呼制御装置を備えた仮想構内交換装置であって、前記呼制御装置は、前記一般加入電話機の外線電話番号に対応した内線番号を予め記憶した記憶手段と、前記一般加入電話機の外線電話番号とこれに対応する内線番号との間で変換を行う番号変換手段とを備え、構内電話機から一般加入電話機への接続の場合、発呼された一般加入電話機の内線番号を前記番号変換手段により前記記憶手段の対応する外線電話番号に変換し、変換した外線電話番号で一般加入電話機へ発呼を行い、被呼側の一般加入電話機と発呼側の構内電話機との間に通話路を確立することを特徴とする仮想構内交換装置。
【請求項５】
通信業者（キャリア）の提供する交換機、ＷＡＮ機器、ＬＡＮ機器、回線網、構内電話機、一般加入電話機および呼制御装置を備えた仮想構内交換装置であって、前記呼制御装置は、一般加入電話機から構内電話機への接続の場合、一般加入電話機からの発呼を受け付け、着信先として構内電話機の内線番号を受信したとき当該呼を一旦切断して前記一般加入電話機に発呼を行い、この一般加入電話機と前記着信先の構内電話機との間に通話路を確立することを特徴とする仮想構内交換装置。
【請求項６】
通信業者（キャリア）の提供する交換機、ＷＡＮ機器、ＬＡＮ機器、回線網、構内電話機、一般加入電話機および呼制御装置を備えた仮想構内交換装置であって、前記呼制御装置は、同一構内の内線電話機として構内電話機と一般加入電話機とが通話中に、少なくとも通話録音を含む内線サービスの種類を指示する信号を受け付け、指示された種類の前記内線サービスを開始することを特徴とする仮想構内交換装置。
【請求項７】
通信業者（キャリア）の提供する交換機、ＷＡＮ機器、ＬＡＮ機器、回線網、構内電話機、一般加入電話機および呼制御装置を備えた仮想構内交換装置であって、前記呼制御装置は、同一構内の内線電話機として構内電話機と一般加入電話機とが通話中に、少なくとも通話録音を含む内線サービスの利用を指示する信号を受け付けると前記通話を保留にし、保留中の前記一般加入電話機から前記内線サービスの種類を指示されるとこの内線サービスを開始するとともに前記保留を解除することを特徴とする仮想構内交換装置。
【請求項８】
通信業者（キャリア）の提供する交換機、ネットワーク機器または回線網を介して一般加入電話機および構内電話機を同一構内の内線電話機として音声通話および各種内線サービスを提供することを特徴とする仮想構内交換装置の呼制御方法。
【請求項９】
構内電話機から一般加入電話機へ発呼する場合、内線番号を一般加入電話機の電話番号に変換するステップを備えたことを特徴とする請求項８記載の仮想構内交換装置の呼制御方法。
【請求項１０】
一般加入電話機から構内電話機へ発呼する場合、一般加入電話機の呼を一旦切断した後、当該一般加入電話機に発呼するステップを備えたことを特徴とする請求項８記載の仮想構内交換装置の呼制御方法。
【請求項１１】
通信業者（キャリア）の提供する交換機、ＷＡＮ機器、ＬＡＮ機器、回線網、構内電話機、一般加入電話機および呼制御装置を備えた仮想構内交換装置の呼制御方法であって、一般加入電話機の外線電話番号に対応した内線番号を予め記憶し、構内電話機から一般加入電話機への接続の場合、発呼された一般加入電話機の内線番号を記憶済みの対応する外線電話番号に変換するステップと、変換した外線電話番号で一般加入電話機へ発呼を行って被呼側の一般加入電話機と発呼側の構内電話機との間に通話路を確立するステップとを備えたことを特徴とする仮想構内交換装置の呼制御方法。
【請求項１２】
通信業者（キャリア）の提供する交換機、ＷＡＮ機器、ＬＡＮ機器、回線網、構内電話機、一般加入電話機および呼制御装置を備えた仮想構内交換装置の呼制御方法であって、一般加入電話機から構内電話機への接続の場合、一般加入電話機からの発呼を受け付けるステップと、着信先として構内電話機の内線番号を受信したとき当該呼を一旦切断して前記一般加入電話機に発呼を行って前記一般加入電話機と前記着信先の構内電話機との間に通話路を確立するステップとを備えたことを特徴とする仮想構内交換装置の呼制御方法。
【請求項１３】
通信業者（キャリア）の提供する交換機、ＷＡＮ機器、ＬＡＮ機器、回線網、構内電話機、一般加入電話機および呼制御装置を備えた仮想構内交換装置の呼制御方法であって、同一構内の内線電話機として構内電話機と一般加入電話機とが通話中に、少なくとも通話録音を含む内線サービスの種類を指示する信号を受け付けるステップと、指示された種類の前記内線サービスを開始するステップとを備えたことを特徴とする仮想構内交換装置の呼制御方法。
【請求項１４】
通信業者（キャリア）の提供する交換機、ＷＡＮ機器、ＬＡＮ機器、回線網、構内電話機、一般加入電話機および呼制御装置を備えた仮想構内交換装置の呼制御方法であって、同一構内の内線電話機として構内電話機と一般加入電話機とが通話中に、少なくとも通話録音を含む内線サービスの利用を指示する信号を受け付けるステップと、前記指示により前記通話を保留にするステップと、保留中の前記一般加入電話機から前記内線サービスの種類の指示を受け付けるステップと、指示された内線サービスを開始するステップと、前記保留を解除するステップとを備えたことを特徴とする仮想構内交換装置の呼制御方法。
【手続補正２】
【補正対象書類名】明細書
【補正対象項目名】００２１
【補正方法】変更
【補正の内容】
【００２１】
また、この発明に係る仮想構内交換装置は、通信業者（キャリア）の提供する交換機、ＷＡＮ機器、ＬＡＮ機器、回線網、構内電話機、一般加入電話機および呼制御装置を備えた仮想構内交換装置であって、前記呼制御装置は、前記一般加入電話機の外線電話番号に対応した内線番号を予め記憶した記憶手段と、前記一般加入電話機の外線電話番号とこれに対応する内線番号との間で変換を行う番号変換手段とを備え、構内電話機から一般加入電話機への接続の場合、発呼された一般加入電話機の内線番号を前記番号変換手段により前記記憶手段の対応する外線電話番号に変換し、変換した外線電話番号で一般加入電話機へ発呼を行い、被呼側の一般加入電話機と発呼側の構内電話機との間に通話路を確立することを特徴とする。
これにより、携帯電話機または有線電話機を含む一般加入電話機および構内電話機を同一構内の内線電話機として音声通話および各種内線サービスを提供することができ、ユーザ（事業所）が設備の構築、メンテナンスから開放されるので、経済性、使い勝手ならびに利便性の向上を図ることができる。
また、この発明に係る仮想構内交換装置は、通信業者（キャリア）の提供する交換機、ＷＡＮ機器、ＬＡＮ機器、回線網、構内電話機、一般加入電話機および呼制御装置を備えた仮想構内交換装置であって、前記呼制御装置は、一般加入電話機から構内電話機への接続の場合、一般加入電話機からの発呼を受け付け、着信先として構内電話機の内線番号を受信したとき当該呼を一旦切断して前記一般加入電話機に発呼を行い、この一般加入電話機と前記着信先の構内電話機との間に通話路を確立することを特徴とする。
これにより、発呼した携帯電話機や有線電話機を事業所の同一構内の内線電話機と判断して通話料金を事業所で負担したり、各種内線サービスを受けられるようにすることができ、使い勝手ならびに利便性の向上を図ることができる。
また、この発明に係る仮想構内交換装置は、通信業者（キャリア）の提供する交換機、ＷＡＮ機器、ＬＡＮ機器、回線網、構内電話機、一般加入電話機および呼制御装置を備えた仮想構内交換装置であって、前記呼制御装置は、同一構内の内線電話機として構内電話機と一般加入電話機とが通話中に、少なくとも通話録音を含む内線サービスの種類を指示する信号を受け付け、指示された種類の前記内線サービスを開始することを特徴とする。
これにより、一般加入電話機および構内電話機を同一構内の内線電話機として各種内線サービスを提供することができ、利便性の向上を図ることができる。
また、この発明に係る仮想構内交換装置は、通信業者（キャリア）の提供する交換機、ＷＡＮ機器、ＬＡＮ機器、回線網、構内電話機、一般加入電話機および呼制御装置を備えた仮想構内交換装置であって、前記呼制御装置は、同一構内の内線電話機として構内電話機と一般加入電話機とが通話中に、少なくとも通話録音を含む内線サービスの利用を指示する信号を受け付けると前記通話を保留にし、保留中の前記一般加入電話機から前記内線サービスの種類を指示されるとこの内線サービスを開始するとともに前記保留を解除することを特徴とする。
これにより、一般加入電話機および構内電話機を同一構内の内線電話機として各種内線サービスを提供することができ、利便性の向上を図ることができる。
この発明に係る仮想構内交換装置の呼制御方法は、通信業者（キャリア）の提供する交換機、ネットワーク機器または回線網を介して一般加入電話機および構内電話機を同一構内の内線電話機として音声通話および各種内線サービスを提供することを特徴とする。


【手続補正３】
【補正対象書類名】明細書
【補正対象項目名】００２６
【補正方法】変更
【補正の内容】
【００２６】
この発明に係る仮想構内交換装置の呼制御方法は、携帯電話機や有線電話機の一般加入電話機から構内電話機へ発呼する場合、一般加入電話機の呼を一旦切断した後、一般加入電話機に発呼するステップを備えたので、発呼した携帯電話機や有線電話機を事業所の同一構内の内線電話機と判断して通話料金を事業所で負担したり、各種内線サービスを受けられるようにすることができ、使い勝手ならびに利便性の向上を図ることができる。
また、この発明に係る仮想構内交換装置の呼制御方法は、通信業者（キャリア）の提供する交換機、ＷＡＮ機器、ＬＡＮ機器、回線網、構内電話機、一般加入電話機および呼制御装置を備えた仮想構内交換装置の呼制御方法であって、一般加入電話機の外線電話番号に対応した内線番号を予め記憶し、構内電話機から一般加入電話機への接続の場合、発呼された一般加入電話機の内線番号を記憶済みの対応する外線電話番号に変換するステップと、変換した外線電話番号で一般加入電話機へ発呼を行って被呼側の一般加入電話機と発呼側の構内電話機との間に通話路を確立するステップとを備えたことを特徴とする。
これにより、携帯電話機または有線電話機を含む一般加入電話機および構内電話機を同一構内の内線電話機として音声通話および各種内線サービスを提供することができ、ユーザ（事業所）が設備の構築、メンテナンスから開放されるので、経済性、使い勝手ならびに利便性の向上を図ることができる。
また、この発明に係る仮想構内交換装置の呼制御方法は、通信業者（キャリア）の提供する交換機、ＷＡＮ機器、ＬＡＮ機器、回線網、構内電話機、一般加入電話機および呼制御装置を備えた仮想構内交換装置の呼制御方法であって、一般加入電話機から構内電話機への接続の場合、一般加入電話機からの発呼を受け付けるステップと、着信先として構内電話機の内線番号を受信したとき当該呼を一旦切断して前記一般加入電話機に発呼を行って前記一般加入電話機と前記着信先の構内電話機との間に通話路を確立するステップとを備えたことを特徴とする。
これにより、発呼した携帯電話機や有線電話機を事業所の同一構内の内線電話機と判断して通話料金を事業所で負担したり、各種内線サービスを受けられるようにすることができ、使い勝手ならびに利便性の向上を図ることができる。
また、この発明に係る仮想構内交換装置の呼制御方法は、通信業者（キャリア）の提供する交換機、ＷＡＮ機器、ＬＡＮ機器、回線網、構内電話機、一般加入電話機および呼制御装置を備えた仮想構内交換装置の呼制御方法であって、同一構内の内線電話機として構内電話機と一般加入電話機とが通話中に、少なくとも通話録音を含む内線サービスの種類を指示する信号を受け付けるステップと、指示された種類の前記内線サービスを開始するステップとを備えたことを特徴とする。
これにより、一般加入電話機および構内電話機を同一構内の内線電話機として各種内線サービスを提供することができ、利便性の向上を図ることができる。
また、この発明に係る仮想構内交換装置の呼制御方法は、通信業者（キャリア）の提供する交換機、ＷＡＮ機器、ＬＡＮ機器、回線網、構内電話機、一般加入電話機および呼制御装置を備えた仮想構内交換装置の呼制御方法であって、同一構内の内線電話機として構内電話機と一般加入電話機とが通話中に、少なくとも通話録音を含む内線サービスの利用を指示する信号を受け付けるステップと、前記指示により前記通話を保留にするステップと、保留中の前記一般加入電話機から前記内線サービスの種類の指示を受け付けるステップと、指示された内線サービスを開始するステップと、前記保留を解除するステップとを備えたことを特徴とする。
これにより、一般加入電話機および構内電話機を同一構内の内線電話機として各種内線サービスを提供することができ、利便性の向上を図ることができる。